(57)【要約】【課題】誤って落下させた場合においてもその衝撃を吸収することができるシャワーヘッドを提供する。【解決手段】複数の吐水形態に吐水を切替えるシャワーヘッドであって、この吐水形態切替ユニットは、回転軸とこの回転軸に係止される流路切替板と、回転自在に設けられる吐水切替操作部とこの吐水切替操作部と連動して回転する流路切替機構部とから構成され、流路切替板と流路切替機構部との内周部と外周部に通水穴を形成し、吐水切替操作部を回転させることで流路切替板の内周部の通水穴と流路切替機構部の内周部又は外周部の通水穴とを連通させて吐水を切り替え、この固定軸と流路切替板との間にはばねを設け、このばねの弾性力により流路切替板を流路切替機構部に押し当てると共にシャワーヘッドのヘッド部に対して吐水形態切替ユニットが離れる方向にばねの弾性力が付勢する。【選択図】　図１
2004105791.tif 000002
【特許請求の範囲】
【請求項１】
複数の異なる吐水形態に吐水を切り替えられる吐水形態切替ユニットを備えたシャワーヘッドであって、
この吐水形態切替ユニットには、シャワーヘッドのヘッド部に対して固定される回転軸とこの回転軸に係止される流路切替板と、シャワーヘッドに対して回転自在に設けられる吐水切替操作部とこの吐水切替操作部と連動して回転する流路切替機構部とから少なくとも構成されており、
流路切替板と流路切替機構部との内周部と外周部に通水穴をそれぞれ形成し、吐水切替操作部を回転させることで、固定された流路切替板の内周部の通水穴と流路切替機構部の内周部の通水穴とを連通させるか、もしくは、固定された流路切替板の外周部の通水穴と流路切替機構部の外周部の通水穴とを連通させて吐水を切り替えてなり、
この固定軸と流路切替板との間には、ばねを設け、このばねの弾性力によって、流路切替板を流路切替機構部に押し当ててなるとともに、シャワーヘッドのヘッド部に対して吐水形態切替ユニットが離れる方向にばねの弾性力が付勢していることを特徴とするシャワーヘッド。
【請求項２】
前記吐水形態の１つに旋回したノズルから吐水される吐水形態を有し、この吐水形態を生成するためのノズルユニットを流路切替機構部の下流に配置してなり、
このノズルユニットは、湯水が流入する流入室と、流入室内に流入した湯水を吐水するノズルとで構成されており、さらに流入室内に流入した湯水が流入室内の内周壁面に沿って旋回流を起こすように流入室に流入口を形成し、
かつ、ノズルは、ノズル本体とノズル本体よりも小径の先端部とを有し、
この先端部を流入室の開口部から外部に臨ませるとともに、ノズルの先端部が、シャワーヘッド外面より出ないように形成し、さらにノズル本体を流入室のノズル支持部にて支持し、旋回流によりノズルが旋回しながら吐水することを特徴とする請求項１に記載のシャワーヘッド。
【請求項３】
湯水が流入する流入室と、流入室内に流入した湯水を吐水するノズルとが組み込まれた吐水装置であって、
流入室は、ノズルケースとノズルガイドから構成されており、
流入室内に流入した湯水が流入室内の内周壁面に沿って旋回流を起こすように流入室に流入口を形成し、
さらに、ノズルは、ノズル本体と、このノズル本体の一端に設けたノズル本体よりも小径の先端部と、このノズル本体の他端に設けたノズル本体よりも大径の錘部とを有し、
ノズル本体の外形よりも大きく、錘部の外形よりも小さい流入室内に形成した挿入部にノズルを挿入して、ノズルの先端部を挿入部に連通している流入室の開口部から外部に臨ませてノズル本体を流入室のノズル支持部にて支持し、旋回流によりノズルが旋回しながら吐水することを特徴とするシャワーヘッド。
【請求項４】
前記ノズルの先端部が、シャワーヘッド外面より出ないように形成したことを特徴とする請求項３に記載のシャワーヘッド。
【発明の詳細な説明】
【０００１】
【発明の属する技術分野】
本発明は、シャワーヘッドに関する。詳しくは吐水形態を切替られる吐水切替機構を有するシャワーヘッドや旋回しながら吐水されるノズルを備えたシャワーヘッドに関する。
【０００２】
【従来の技術】
従来のシャワーヘッドには、吐水形態を切替られる吐水切替機構を有するシャワーヘッドがある。（たとえば、特許文献１を参照のこと）
また、従来のシャワーヘッドにおいて、旋回して吐水されるノズルを有するシャワーヘッドがある。（たとえば、特許文献２を参照のこと）
【０００３】
【特許文献１】
実開昭５４−１２７６１５号公報
【特許文献２】
特表２００２−５２０１５６号公報
【０００４】
【発明が解決しようとする課題】
しかしながら、これらのシャワーヘッドにおいては、吐水切替機構を備えてなるため、ヘッド部が重たくなってしまう。そのため、使用者が誤ってシャワーヘッドを落とした場合、ヘッド部が床に衝突し、破損するおそれがある。特にシャワーヘッドに旋回して吐水されるノズルを備えている場合、その落下の衝撃によって旋回性に影響を及ぼしかねない。
【０００５】
そこで、本発明の目的は、上記の問題点を解決するため、誤って落下させた場合においてもその衝撃を吸収することができるシャワーヘッドを提供することを目的とする。
【０００６】
【課題を解決するための手段】
本発明の請求項１では、複数の異なる吐水形態に吐水を切り替えられる吐水形態切替ユニットを備えたシャワーヘッドであって、この吐水形態切替ユニットには、シャワーヘッドのヘッド部に対して固定される回転軸とこの回転軸に係止される流路切替板と、シャワーヘッドに対して回転自在に設けられる吐水切替操作部とこの吐水切替操作部と連動して回転する流路切替機構部とから少なくとも構成されており、流路切替板と流路切替機構部との内周部と外周部に通水穴をそれぞれ形成し、吐水切替操作部を回転させることで、固定された流路切替板の内周部の通水穴と流路切替機構部の内周部の通水穴とを連通させるか、もしくは、固定された流路切替板の外周部の通水穴と流路切替機構部の外周部の通水穴とを連通させて吐水を切り替えてなり、この固定軸と流路切替板との間には、ばねを設け、このばねの弾性力によって、流路切替板を流路切替機構部に押し当ててなるとともに、シャワーヘッドのヘッド部に対して吐水形態切替ユニットが離れる方向にばねの弾性力が付勢していることを特徴とするシャワーヘッドとした。
【０００７】
これにより、シャワーヘッドを落下させたときに吐水形態切替ユニットが床に衝突した場合、シャワーヘッド本体の重みをばねの弾性力によって吸収することができる。またシャワーヘッド本体が床に衝突した場合、吐水形態切替ユニットの重みをばねの弾性力によって吸収することができる。そのため、落下による衝撃によりシャワーヘッドが破損するおそれが低減することができる。
【０００８】
本発明の請求項２では、前記吐水形態の１つに旋回したノズルから吐水される吐水形態を有し、この吐水形態を生成するためのノズルユニットを流路切替機構部の下流に配置してなり、このノズルユニットは、湯水が流入する流入室と、流入室内に流入した湯水を吐水するノズルとで構成されており、さらに流入室内に流入した湯水が流入室内の内周壁面に沿って旋回流を起こすように流入室に流入口を形成し、かつ、ノズルは、ノズル本体とノズル本体よりも小径の先端部とを有し、この先端部を流入室の開口部から外部に臨ませるとともに、ノズルの先端部が、シャワーヘッド外面より出ないように形成し、さらにノズル本体を流入室のノズル支持部にて支持し、旋回流によりノズルが旋回しながら吐水することを特徴とする請求項１に記載のシャワーヘッドとした。
【０００９】
これにより、旋回するノズルを備えたシャワーヘッドにおいて、ノズル先端がシャワーヘッドの外面より出ていないため、落下したときにノズル自体が床に衝突するおそれが低減することができる。そのため、ノズルが変形して旋回性能が低下するおそれがない。
【００１０】
本発明の請求項３では、湯水が流入する流入室と、流入室内に流入した湯水を吐水するノズルとが組み込まれた吐水装置であって、流入室は、ノズルケースとノズルガイドから構成されており、流入室内に流入した湯水が流入室内の内周壁面に沿って旋回流を起こすように流入室に流入口を形成し、さらに、ノズルは、ノズル本体と、このノズル本体の一端に設けたノズル本体よりも小径の先端部と、このノズル本体の他端に設けたノズル本体よりも大径の錘部とを有し、ノズル本体の外形よりも大きく、錘部の外形よりも小さい流入室内に形成した挿入部にノズルを挿入して、ノズルの先端部を挿入部に連通している流入室の開口部から外部に臨ませてノズル本体を流入室のノズル支持部にて支持し、旋回流によりノズルが旋回しながら吐水することを特徴とするシャワーヘッドとした。
【００１１】
これにより、シャワーヘッドを落下したときにノズル支持部が破損したとしても錘部が挿入部に引っ掛かりノズル自体がシャワーヘッドから飛び出すことはない。
【００１２】
本発明の請求項４では、前記ノズルの先端部が、シャワーヘッド外面より出ないように形成したことを特徴とする請求項３に記載のシャワーヘッドとした。
【００１３】
これにより、ノズル先端がシャワーヘッドの外面より出ていないため、落下したときにノズル自体が床に衝突するおそれが低減することができる。そのため、ノズルが変形して旋回性能が低下するおそれがない。
【００１４】
【発明の実施の形態】
以下に図面を参照して本発明をより具体的に説明する。
図１乃至３は、本発明のシャワーヘッド１の実施例である。図１は全体の断面図を示し、図２、３はヘッド部１Ａの断面図を示す。
このシャワーヘッド１は、浴室やシャワールームなどで身体にシャワーを浴びるときなどに利用されるものである。なお、図示しないが、このシャワーヘッド１は、湯水混合水栓から分岐されたシャワーホースに接続されている。
【００１５】
図１のシャワーヘッド１は、ヘッド部１Ａに旋回しながら吐水されるノズル９を有する吐水形態切替ユニット２を取付けて構成されている。
この吐水形態切替ユニット２は、図２に示すとおり、回転軸３と吐水切替操作部４と散水板５、ノズルガイド８、ノズル９から外面を構成し内部に流路切替板６、流路切替機構部７、ノズルケース１０、ばね１１を備えている。また、水密に保つ部位にはＯリング、パッキンを使用している。
【００１６】
では、具体的に吐水形態切替ユニット２の各構成要素を以下に説明する。
吐水切替操作部４は、逆向きの略碗型形状をしており中央に開口４Ｃを形成している。
【００１７】
回転軸３は、略円盤形状をしており、この略円盤形状の中央に雄ねじ部３ｅが突設して形成されている。さらに、この雄ねじ部３ｅの内側には、上流側に向けてコーン形状の突部３ｂを形成し、図７に示すように３つのガイド部３ｄにより、突部３ｂを回転軸３本体に連結している。そして、ガイド部３ｄ間に流路３ｃを形成している。なお、突部３ｂをコーン形状とすることで、通水路１５から吐水形態切替ユニット２内への通水がこのコーン形状に沿って流路３ｃをスムーズに通過するのである。
【００１８】
流路切替板６は、図５に示すように、円盤形状をしていて、この円盤の中央に各ガイド部３ｄに嵌合する嵌合片６ａを配置してなり、かつ、散水板５からの通常のシャワーとノズル９からの旋回シャワーを行うために通水される通水穴１６ａ、１６ｂがそれぞれ３つずつ配置されている。なお、通常のシャワーを行うために通水される通水穴の１つを長穴とし、吐水切替時に止水状態を生じないようにしている。（図６（ｃ）を参照）
【００１９】
流路切替機構部７は、上面７ｂを備えかつ底面を備えない筒形状をしており、内部に隔壁７ａを形成している。そして、上面７ｂには、図４に示すようにこの隔壁７ａを境にして内側に通水するための通水穴１７ａを形成し、外側に通水するための通水穴１７ｂを形成している。
【００２０】
ノズルユニット２Ａは、図１２に示すように、ノズルケース１０と、ノズル９と、ノズルガイド８とから構成する。そして、このノズルケース１０とノズルガイド８を重ね合わせることによって、流入室を形成している。そして、この流入室内にノズル９を収納するとともに、ノズルの先端部９ｃを開口８ａから流入室外部に臨ませている。
ノズルケース１０は、図８乃至１０に示すように、上面を備えかつ底面を備えない略筒型形状をしており、側面に細い縦長形状の流入口２３を２つ左右対称に備えている。
この流入口２３は、図１０に示すように、ノズルケース１０の内周面に対して接線方向に形成されている。
そして、図１３に示すように、この流入口から通水をノズルケース１０内に導き、ノズルユニット２Ａ内で通水が旋回するようにしている。特に細い縦長形状の流入口２３としているので、ノズルユニット２Ａの軸に対して、より均一な旋回流を生じさせやすくすることができる。
なお、通水が旋回すれば、流入口２３は必ずしも接線方向に形成しなくともよい。たとえば、流入口２３を接線方向以外の方向で側面または上面に斜め方向に形成してもよい。ただし、通水が流入口２３から内周面にスムーズに流れて旋回するようにして圧力損失をできる限り抑えるため、この流入口２３を内周面に対して接線方向に形成することが好ましい。
また、本実施の形態では、流入口２３を軸方向に対して点対称に２つ形成したが、１つでもよい。
【００２１】
ノズル９は、図１１に示すように、略円柱形のノズル本体９ｂの一端部にこのノズル本体９ｂの径よりも小さい先端部９ｃを延設し、他端部にノズル本体９ｂの径よりも大きい錘部９ａを延設して一体成形されている。
そして、このノズル９の軸方向に通水路１３が錘部９ａ側から先端部９ｃ側のノズル本体９ｂまで１つ形成され、さらに、この通水路１３は先端部９ｃで軸方向に沿って４つの吐水口１３ａに分岐されている。このように軸方向に沿って通水路１３ならびに吐水口１３ａを形成することで加工しやすいと言える。なお、吐水口１３ａを４つの場合を例に挙げて説明したが、これに限定されず、複数であればよく、２つ、３つでもよい。
このように通水路１３を軸方向に沿って形成することで、ノズルユニット２Ａ内で生じた旋回流の旋回成分をノズル９の通水路１３中で軽減させて吐水口１３ａから吐水させることができる。そのため、吐水の乱れを抑えることができる。なお、図１６に示すように、この通水路１３内に整流板９１ａを設けて旋回流の旋回成分を軽減させても良い。
また、錘部９ａには側部に孔１３ｂを形成している。この孔１３ｂは、ノズル本体９ｂに形成してもよい。この孔１３ｂを形成することで、初期の通水によって、ノズル９が斜めに成りやすく、ノズル９の旋回開始を促進することができる。
なお、通水路１３に対して、一方の側部にのみ孔１３ｂを形成するのではなく、対向する両方の側部に孔１３Ｂを形成した場合の方が旋回開始を促進することができた。
なお、ノズル９が傾斜している状態で通水するとノズル９の旋回始動が起こりやすい。
そのため、錘部９ａをノズル９の軸に対して変心させて傾斜しやすくしてもよい。
また、シャワーヘッド１は、ヘッド部１Ａが斜め方向に配置されて使用されるため、このヘッド部１Ａ内に配置されたノズル９自体も斜めに傾いた状態になっていると言えるが、上述するように孔１３ｂなどを形成しておくことで、シャワーヘッド１がどのように配置されても、ノズル９の通水初期の旋回始動を起こしやすくすることができる。
なお、図１７に示すように、流入口２３を１つとして初期にノズルに当たる旋回流を非対称とすることでも、ノズルを傾斜させることができるので、通水初期の旋回始動を起こしやすくすることができる。
【００２２】
ノズルガイド８は、図１４に示すように、中央にノズル９の先端部９ｃのみを突設する開口８ａを形成している。
そして、図１４に示すように、ノズル９の先端部９ｃを開口８ａから突設させて、さらに、ノズルガイド８のノズル支持部１２にノズル本体９ｂの端部であるノズル段部９ｄの一部が当接して首振り可能に構成されているのである。
また、このノズルガイド８の先端部８ｂには凹部８ｃが形成されている。そして、ノズル９の先端部９ｃはこの凹部８ｃ内で旋回可動する。
つまり、図２、図３や図１４に示すように、ノズル９の吐水口１３の先端は、ノズルガイド８の下面より出ないよう形成している。
そのため、シャワーヘッド１を誤って落下させた場合においても、直接ノズル９に接触しないため、衝撃が和らぎ、損傷を軽減することができる。なお、ばね１１も落下による衝撃を吸収する役割を果たす。
また、錘部９ａの外形は、ノズルガイド８に形成したノズル９を挿入する側の挿入部８Ｄの内径よりも大きくしている。このような構成にしているため、たとえば、通水時にシャワーヘッド１を誤って落下させてノズルガイド部８の先端部８ｂを破損した場合においてもノズル９がノズルガイド部８から飛び出すことがない。
【００２３】
散水板５は、通常のシャワーを吐水するための複数の散水孔５ａを設けた円盤形状をしており、その外周部に吐水切替操作部４に螺合して取り付けるためのねじ部５ｃが形成されている。また、散水板５の中央には開口部５ｂが形成されており、その開口部５ｂからはノズルガイド８とノズル９の先端部が突出される。
【００２４】
では、具体的に吐水形態切替ユニット２の組み立て方法について説明する。
予め、回転軸３と連動するよう位置決めされた状態で回転軸３に流路切替板６を嵌装する。
具体的には、流路切替板６に設けた嵌合片６ａを回転軸３のガイド部３ｄに嵌装させることで固定する。
なお、突部３ｂの内側の空間にばね１１を装着して、このばね１１の付勢と流れてくる通水水圧により、流路切替機構部７のＯリング面に押し付け水密性を保つようにしている。
【００２５】
そして、この流路切替板６を嵌装した回転軸３を吐水切替操作部４に組み付ける。具体的には、吐水切替操作部４の開口４Ｃへ回転軸３に形成された雄ねじ部３ｅを突設するように組み込む。
なお、言うまでもないが、回転軸３を吐水切替操作部４に組み付けた後、流路切替板６を固定軸３に組み付けてもよい。
【００２６】
次に、流路切替機構部７は、吐水切替操作部４と連動するように位置決めされた状態で、吐水切替操作部４内に嵌装される。
そして、この流露切替機構部７の隔壁７ａの内側にノズルユニット２Ａを嵌装する。
そして、散水板５は、そのねじ部５ｃを利用して吐水切替操作部４の端部内側に螺着される。
こうすることで、散水板５の開口部５ｂからノズルガイド８とノズル９の先端部が突出するように、散水板５で吐水切替操作部４内を覆うことができる。
【００２７】
そして、吐水形態切替ユニット２をヘッド部１Ａに取付けるため、開口４Ｃから突設した雄ねじ部３ｅを、ヘッド部１Ａに形成された雌ねじ部１Ｂに螺合することで、シャワーヘッド１を構成しているのである。
【００２８】
なお、吐水切替操作部４は、回転軸３を軸として回転可能に取り付けられている。
つまり、回転軸３と流路切替板６とばね１１は、ヘッド部１Ａに固定されており、他の部材は吐水切替操作部４に固定されている。
そのため、吐水切替操作部４をヘッド部１Ａに対して回転することで、ヘッド部１Ａに固定されている流路切替板６に対して流路切替機構部７が回転し、流路切替板６と流路切替機構部７とにそれぞれに設けた通水穴が重なり合ったり、重なり合わなかったりして流路を切り替えるのである。
【００２９】
では、吐水切替による通水穴の重なり合い状態を図６に基づき具体的に説明する。
図６（Ａ）は、ノズルユニット２Ａに通水してノズル９を旋回させて旋回シャワーを得る場合の通水穴の重なり合いを示す。つまり、流路切替板６の通水穴１６ａと流路切替機構部７の通水穴１７ａとが重なり合い、流路切替板６の通水穴１６ｂと流路切替機構部７の通水穴１７ｂとが重なり合っていない状態である。
図６（ｂ）は、散水板５の散水孔５ａから通常シャワーを得る場合の通水穴の重なり合いを示す。つまり、流路切替板６の通水穴１６ｂと流路切替機構部７の通水穴１７Ｂとが重なり合い、流路切替板６の通水穴１６ａと流路切替機構部７の通水穴１７ａとが重なり合っていない状態である。
さらに、図６（ｃ）は、図６（ａ）と（ｂ）の切替途中を示す。切替途中に止水状態を形成してしまうと、シャワーホースおよびシャワーヘッド内に静水圧（水道管の給水圧）が掛かってしまい、高い水圧を部材が受けてしまう。そのため、止水状態を形成しないように、１つの通水穴１６ｂを長穴にして、切替途中において、両方の通水穴から通水されるようにしているのである。
なお、吐水切替時の回転範囲を規制するための回転規制手段は、吐水切替操作部４に形成した凹部４ａと固定軸３に形成した凸部３ａにより形成される。
つまり、図７に示すように、固定軸３に形成した凸部３ａが回転する吐水切替操作部４の内側に形成した凹部４ａの端部に当たることで、その回転する範囲を規制している。そして、凹部４ａの一端部に凸部３ａが当接したときに通常のシャワーに切り替わり、また、他端部に凸部３ａが当接したときにノズル９からの旋回シャワーに切り替わるのである。
【００３０】
次に、ノズル９からの旋回シャワーについて以下で説明する。
まず、シャワーヘッド１の給水口１４より供給された湯水は、シャワーヘッド本体１の通水路１５を通り吐水形態切替ユニット２内に供給される。
回転軸３内に湯水が通水されると流路切替板６の通水穴１６ａと流路切替機構部７の通水穴１７ａが連通し、吐水流室１８に湯水が流れ、吐水流室１８から、ノズルケース１０の流入口２３に入り、ノズル９内の通水路１３を通り、ノズル９の吐水口１３ａから吐水される。
【００３１】
ノズルケース１０の流入口２３は、図１３に示すように、接線方向（斜め方向）から内部に流入するように形成され、ノズルケース１０内に旋回流を引き起こす。
この旋回流の水の勢いにより、ノズル９が、ノズルガイド８のノズル支持部１２を軸として、首振り回転をしながら、吐水する。また、錘部９ａをノズル本体９ｂの先端部９ｃと対向する一端部に一体に配置したことでノズルが安定して旋回しやすい。
この際、ノズルケース１０内の湯水が、ノズル９の通水路１９だけでなく、ノズルガイド８とノズル９の隙間２０よりノズル９に沿って、流れ出す。このノズル９の周りの湯水が潤滑剤となり、ノズルケース１０のノズル支持部１２とノズル段部９ｃとの磨耗が減り、耐久性を向上することができる。
【００３２】
また、この隙間２０からながれでた微量の湯水は、ノズル９の先端部９ｃが隙間２０部分の径と先端の径を略同径に形成していることにより、回転しているノズル９の先端部９ｃによって飛び散ることなく、逆にノズル９の吐水口１３からの吐水に収束して散水される。
【００３３】
また、散水孔５ａからの通常のシャワーを選択した場合、流路切替板６の通水穴１６ｂは、流路切替機構部７上の通水穴１７ｂと連通し、湯水は、吐水流室２１を通って、散水板５の散水孔５ａより吐水される。
【００３４】
この旋回させて吐水するノズルによって、適度な断続感を得ることができマッサージ効果を得ることができる。
特に、この適度な断続感はノズルの旋回速度をあまり早くしすぎると得られなくなってしまうため、適度な回転数とすることが必要である。
このノズルの回転数は、吐水量、ノズル重量、形状および重心によって左右される。
吐水量を身体にシャワーを浴びたときに快適な所定の量に設定した場合、ノズルの重量や形状重心位置によって回転数が決まってくる。
特に、合成樹脂だけで形成し軽量化するとノズルの回転数が早くなりすぎ、適度な断続感が得られ難くなる。
そのため、上述したノズル９は、金属製の部材から構成するとよい。たとえば、黄銅で形成するとよい。この場合さらに切削加工ができるため、回転数の違う仕様を容易に成形することができると言える。
また、ノズル９は金属部９０ａをインサートさせた合成樹脂製の部材から構成してもよい。
この場合、図１５に示すように、錘部９ａの部分に黄銅等からなる金属部９０ａをインサートし、ノズル９自体をＡＢＳ樹脂やポリプロピレンなどの合成樹脂材を用いるとよい。
一方、ノズルガイド８に形成したノズル支持部１２は、合成樹脂製の部材から構成されている。たとえば、このノズルガイド８は強度が必要なため、ポリアセタールなどを用いるとするとよい。
このようにノズル９を重量のある金属製とすることでノズル９の回転力が増すことができる。さらには、ノズル９とノズル支持部１２と別材料とすることで摩擦を低減させることができる。
なお、ノズル９の先端部９ｃの形状であるが、たとえば、図１５（Ａ）に示すように、ノズル本体９ｂ側から先端に向かって径が小さくなるように形成してもよい。このようにすることで、ノズル９とノズル支持部９ｃとの隙間から流れ出た湯水は、先端部９ｃに伝わって、吐水口１３ａからの吐水に収束させることができると言える。
さらに、図１５（Ｂ）のように先端部９ｃに螺旋状の溝９０ｃなどを設けておき、この溝９０ｃに伝わって吐水に吐水口１３ａからの吐水に収束させてもよい。
【００３５】
本発明は上述の実施例に限定されること無く種々のシャワーヘッドへの応用が可能であり、浴室やシャワールームでの使用のみならず、例えば、台所用水栓、洗面用水栓、などで用いる引出し自在のシャワーヘッドに用いることができる。
【００３６】
【発明の効果】
以上のように構成したことにより、誤って落下させた場合においてもその衝撃を吸収することができるシャワーヘッドを提供することができる。
【図面の簡単な説明】
【図１】本件発明の実施の形態であるシャワーヘッドの断面図を示す。
【図２】図１の吐水切替ユニットの断面図で散水板の通水孔からの通常のシャワーが選択された状態。
【図３】図１の吐水切替ユニットの断面図でノズルからの旋回シャワーが選択された状態。
【図４】流路切替機構部の平面図を示す。
【図５】流路切替板の平面図を示す。
【図６】流路切替の通水穴の重なり合い状態を示す。
【図７】吐水切替操作部と固定軸とにより形成した吐水切替時の回転規制手段を示す。
【図８】ノズルケースの外観図を示す。
【図９】ノズルケースの平面図を示す。
【図１０】図９のＡ−Ａ断面図を示す。
【図１１】ノズルを示す。
【図１２】ノズルユニットの組み立て方法を示す。
【図１３】図１２のノズルケースのＡ−Ａ断面図における通水の流れを示す。
【図１４】ノズルガイドに支持されたノズルの状態を示す。
【図１５】ノズルの別の実施形態を示す。
【図１６】ノズルの通水路に整流板を設けた場合を示す。
【図１７】ノズルケースに流入口を１つ形成した場合を示す。
【符号の説明】
１　シャワーヘッド
１Ａ　ヘッド部
２　吐水形態切替ユニット
２Ａ　ノズルユニット
３　回転軸
４　吐水切替操作部
５　散水板
６　流路切替板
７　流路切替機構部
７ａ　隔壁
８　ノズルガイド
９　ノズル
１０　ノズルケース
１１　ばね
１２　ノズル支持部
１３　吐水口
１４　給水口
１５　通水路
１６ａ　通水穴
１６ｂ　通水穴
１７ａ　通水穴
１７ｂ　通水穴
１８　吐水流室
２０　隙間
２１　吐水流室
２３　流入口
【図１】
2004105791.tif 000003
【図２】
2004105791.tif 000004
【図３】
2004105791.tif 000005
【図４】
2004105791.tif 000006
【図５】
2004105791.tif 000007
【図６】
2004105791.tif 000008
【図７】
2004105791.tif 000009
【図８】
2004105791.tif 000010
【図９】
2004105791.tif 000011
【図１０】
2004105791.tif 000012
【図１１】
2004105791.tif 000013
【図１２】
2004105791.tif 000014
【図１３】
2004105791.tif 000015
【図１４】
2004105791.tif 000016
【図１５】
2004105791.tif 000017
【図１６】
2004105791.tif 000018
【図１７】
2004105791.tif 000019